(57)【要約】【課題】遊技機の実機検査の精度向上を図る。【解決手段】搬入領域Ａおよび検査領域Ｂにおける双方の搬送機構４；５が水平な搬送姿勢となっている状態において、遊技機４１が搬入領域Ａから検査領域Ｂに到達した後、検査領域Ｂの搬送機構５が傾斜機構２１の動作で後傾状の検査姿勢となるのに伴い、検査領域Ｂの搬送機構５上の遊技機４１が後傾状となり、検査時において、球が遊技盤４５とそれの前に配置された透視性のあるパネル４６とに前後方向に行き交うことはなく遊技盤４５の遊技領域に常に接触しつつ左右方向に飛び交い、球と遊技部品との適正な絡まり形態を検査することができ、検査終了後、検査領域Ｂの搬送機構５が傾斜機構２１の動作で搬出領域Ｃの搬送機構６に類似する水平な搬送姿勢となるのに伴い、検査領域Ｂの搬送機構５上の遊技機４１が垂直状態にまっすぐ自立した格好となった後に検査領域Ｂから搬出領域Ｃに搬送される。【選択図】　　　　図１
2004033553.tif 000002
【特許請求の範囲】
【請求項１】
装置本体の上部に設けられた案内部材と装置本体の中間部に設けられた搬送機構とで遊技機を自立させた格好で搬入領域と検査領域および搬出領域に順に横方向に搬送する遊技機検査設備において、搬送機構を搬入領域と検査領域および搬出領域とに対応させて分割し、検査領域の搬送機構は装置本体の中間部に搬送機構上の遊技機を後傾状の検査姿勢と自立させた格好の搬送姿勢とに切り替える傾斜機構で取り付けられたことを特徴とする遊技機検査設備。
【請求項２】
搬送姿勢における検査領域の搬送機構の搬送面が搬入領域における搬送機構の搬送面および搬出領域における搬送機構の搬送面と同じ高さに形成されたことを特徴とする請求項１記載の遊技機検査設備。
【請求項３】
装置本体に検査領域の遊技機を検出して搬送機構を搬送姿勢から検査姿勢に切り替えるように傾斜機構を駆動する検査姿勢切替手段を備えたことを特徴とする請求項１記載の遊技機検査設備。
【請求項４】
装置本体に搬送機構を検査姿勢から搬送姿勢に切り替えるように傾斜機構を駆動する搬送姿勢切替手段を備えたことを特徴とする請求項１記載の遊技機検査設備。
【発明の詳細な説明】
【０００１】
【発明の属する技術分野】
本発明は球の入賞を契機とする遊技機の動作が正常か否かを検査する遊技機検査設備に関する。
【０００２】
【従来の技術】
従来、図３に示すように、遊技機検査設備１は装置本体２の上部に設けられた案内部材３が遊技機４１の上部を前後方向に隙間を存在させる格好で支持する一方、装置本体２の中間部に設けられた搬送機構３６のローラ３７が遊技機４１を支持し、ローラ３７が回転駆動されることで遊技機４１を自立させた格好で矢印Ｘで示す横方向に搬送して検査領域Ｂに停止する。検査領域Ｂにおいて、遊技機４１の球発射操作部４３が操作されることで、皿装置４４に貯められた球が皿装置４４より遊技機４１の内部に取り込まれ、取り込まれた球が遊技機４１の内部に設けられた図外の球発射装置により遊技盤４５に向けて発射され、発射された球が遊技盤４５の前面に設けられた図外のガイドレールに沿ってガイドレールより内側の遊技領域に放出され、遊技領域を流下する球が遊技領域に設けられた図外の入賞装置に入賞するかまたはアウト口に入る。入賞装置への入賞を契機として遊技機４１の裏側に設けられた図外の球払出機構が球を皿装置４４に払い出す一方、遊技領域に設けられた図外の図柄表示装置が図柄を変動した後に停止し、停止した確定図柄が当たり図柄として定められた図柄に揃った場合に、遊技領域に設けられたアタッカーと呼ばれる図外の可変入賞装置が扉を開放する大当たり遊技を開始する。大当たり遊技ではサイドランプやランプ風車が点滅し、スピーカーが効果音を発生する。これらの球払出機構、図柄表示装置、サイドランプ、ランプ風車、スピーカーなどの部品が正常な動作を行うか否かを作業者の目や機械の目で判定する実機検査を行っていた。
【０００３】
【発明が解決しようとする課題】
しかしながら、前記従来例はローラ３７のローラ軸３８が水平方向に向けられた構造であるため、遊技機４１がまっすぐに起立したような垂直状態の姿勢でローラ３７により支持されるとともに、遊技機４１と案内部材３との間の隙間で遊技機４１が前後方向にがたつくことがある。遊技機４１ががたついた場合、遊技盤４５の遊技領域に飛び交う球が遊技盤４５とそれの前に配置された透視性のあるパネル４６とに衝突を繰り返すように前後方向に踊るので、パチンコ店のような遊技店における球が遊技領域に飛び交う使用形態と同様の適正な検査形態とならず、遊技釘、風車、入賞装置等の遊技領域に設けられた遊技部品との適正な絡まり形態を検査することができないという問題点があった。
【０００４】
そこで、本発明は遊技機の実機検査の精度を向上することができる遊技機検査設備を提供するものである。
【０００５】
【課題を解決するための手段】
本発明に係る遊技機検査設備は、搬送機構を搬入領域と検査領域および搬出領域とに対応させて分割し、検査領域の搬送機構が装置本体の中間部に搬送機構上の遊技機を後傾状の検査姿勢と自立させた格好の搬送姿勢とに切り替える傾斜機構で取り付けられたことによって、搬入領域および検査領域における双方の搬送機構が水平な搬送姿勢となっている状態において、遊技機が搬入領域から検査領域に到達した後、検査領域の搬送機構が傾斜機構の動作で後傾状の検査姿勢となるのに伴い、当該検査領域の搬送機構上の遊技機が後傾状となり、検査時において、球が遊技盤とそれの前に配置された透視性のあるパネルとに前後方向に行き交うことはなく遊技盤の遊技領域に常に接触しつつ左右方向に飛び交い、球と遊技部品との適正な絡まり形態を検査することができる。検査終了後、検査領域の搬送機構が傾斜機構の動作で搬出領域の搬送機構に類似する水平な搬送姿勢となるのに伴い、当該検査領域の搬送機構上の遊技機が垂直状態にまっすぐ自立した格好となった後に検査領域から搬出領域に搬送される。また、搬送姿勢における検査領域の搬送機構の搬送面が搬入領域における搬送機構の搬送面および搬出領域における搬送機構の搬送面と同じ高さに形成されれば、遊技機が搬入領域から検査領域に搬送される場合、遊技機が検査領域から搬出領域に搬送される場合のいずれにおいても、遊技機が双方の搬送機構にがたつくことなく円滑に受け渡される。また、装置本体に検査領域の遊技機を検出して搬送機構を搬送姿勢から検査姿勢に切り替えるように傾斜機構を駆動する検査姿勢切替手段を備えれば、遊技機が搬入領域から検査領域に到達して停止するのに伴い、検査領域の搬送機構が傾斜機構で後傾状になるので、遊技機の検査領域への搬入終了から検査領域の搬送機構の傾斜機構での後傾状開始までの待ち時間を少なくして、検査作業の効率を向上することができる。また、装置本体に搬送機構を検査姿勢から搬送姿勢に切り替えるように傾斜機構を駆動する搬送姿勢切替手段を備えれば、遊技機が検査領域から搬出領域に搬出されるのに伴い、検査領域の搬送機構が傾斜機構で水平になるので、遊技機の検査終了から搬出領域への搬出開始までの待ち時間を少なくして、検査作業の効率を向上することができる。
【０００６】
【発明の実施の形態】
図１および図２は一実施形態であって、図１は遊技機検査設備１の外観を示し、図２のａ図は搬送機構５の搬送姿勢の側面を示し、図２のｂ図は搬送機構５の検査姿勢の側面を示す。図１を参照し、遊技機検査設備１について説明する。遊技機検査設備１は装置本体２の上部に遊技機４１の上部を前後方向に隙間を存在させる格好で支持する案内部材３を備え、装置本体２の中間部に搬送機構４；５；６を備える。搬送機構４〜６は骨格構造体７；８；９に矢印Ｘで示す搬送方向に所定の間隔で並列配置された複数のローラ１０；１１；１２を前後方向で水平方向に向けられたローラ軸１３；１４；１５で回転可能に取り付けた形態であって、搬送方向の上流側から下流側に向けて搬入領域Ａ、検査領域Ｂおよび搬出領域Ｃに分割される。具体的には、搬送機構４〜６における骨格構造体７〜９が搬入領域Ａ、検査領域Ｂおよび搬出領域Ｃそれぞれに対応して分割される。搬入領域Ａおよび搬出領域Ｃにおける骨格構造体７；９は装置本体２の中間部に固定的に設けられ、複数のローラ１０；１２が遊技機４１をまっすぐに起立させた垂直状態の自立姿勢で搬送する形態である。これに対し、検査領域Ｂにおける骨格構造体８は装置本体２の中間部に傾斜機構２１で傾斜可能に設けられる。
【０００７】
本実施形態では、骨格構造体８の後側が装置本体２の中間部に軸２２で上下方向に回転可能に取り付けられ、骨格構造体８の前側が傾斜駆動源としてのエアシリンダ２３で装置本体２の中間部に昇降可能に取り付けられる。エアシリンダ２３はシリンダボディの底部が装置本体２の中間部の内部に軸２４で回転可能に取り付けられ、ピストンロッド２５の先端部が装置本体２の中間部の内部から装置本体２の中間部の上面に形成された逃孔２６を経由して装置本体２の中間部よりも上方に突出して骨格構造体８の前側に軸２７で回転可能に取り付けられる。装置本体２の中間部と骨格構造体８とを連結した後側の軸２２、エアシリンダ２３、エアシリンダ２３と装置本体２とを連結した軸２４、ピストンロッド２５と骨格構造体８とを連結した軸２７、図外の制御装置によって、傾斜機構２１が形成される。検査領域Ｂにおける装置本体２の上部には遊技機４１を検出する検出器２８および操作部２９が設けられる。
【０００８】
図２のａ図にも示すように、ピストンロッド２５がシリンダボディに収納されるように、エアシリンダ２３が縮小駆動すると、骨格構造体８の前側が後側の軸２２を中心として水平になる。このように検査領域Ｂの骨格構造体８が水平になると、検査領域Ｂにおける複数のローラ１１の遊技機４１を搬送する上部が搬入領域Ａおよび搬出領域Ｃにおける複数のローラ１０；１２の遊技機４１を搬送する上部と同じ高さに設定される。逆に、図２のｂ図に示すように、ピストンロッド２５がシリンダボディから突出するように、エアシリンダ２３が伸長駆動すると、骨格構造体８の前側が後側の軸２２を中心として傾斜して所定角度θに設定される。また、検査領域Ｂにおいて、案内部材３の後壁の前面（案内部材３の遊技機４１を案内する側の面）にはゴムまたは弾性を有する合成樹脂製の緩衝体３１が固定される。
【０００９】
本実施形態の構造によれば、検査領域Ｂの搬送機構５におけるローラ軸１４が水平になっている状態において、搬入領域Ａの搬送方向最上流側において、遊技機４１の上部が案内部材３の溝内に挿入されるとともに、遊技機枠の下部つまり遊技機枠の外枠と呼ばれる額縁状の固定枠４２の下縁部の底面が全面的にローラ１０の周面の上部（搬送機構５の搬送面）に接触した格好でローラ１０に搭載されるように、遊技機枠が遊技機検査設備１に供給される。そして、図２のａ図に示すように、遊技機４１がローラ１０；１１の一方向への回転に伴い搬入領域Ａから検査領域Ｂに到達して停止すると、検出器２８が遊技機４１を検出した信号を図外の制御装置に出力し、制御装置がエアシリンダ２３を伸長駆動するように制御する。これによって、図２のｂ図に示すように、エアシリンダ２３が伸長駆動し、検査領域Ｂの搬送機構５における骨格構造体８の前側が後側の軸２２を中心として上昇し、その傾斜角度が所定角度θに到達すると、制御装置がエアシリンダ２３の伸長駆動を停止するように制御する。この制御装置による伸長駆動停止の制御によって、ピストンロッド２５のシリンダボディからの突出量がそのままとなるように、エアシリンダ２３の伸長状態が維持される。
【００１０】
このように搬送機構５が傾斜する過程において、検査領域Ｂにおける前後方向で水平方向に向けられたローラ軸１４の前端部が後端部よりも高い位置（装置本体２の中間部の水平な設置面からの高い位置）となる。このローラ軸１４の前・後端部の高さの違いによって、ローラ軸１４を中心とする１つの曲率半径で形成された搬送機構５の搬送面たるローラ１１の周面の上部が遊技機４１を後傾状に支持する斜面に形成される。このローラ１１の周面が後傾状の斜面を形成するのに伴い、遊技機４１の上部つまり固定枠４２の上縁部が案内部材３の内部空間を前側から後側に移動し、固定枠４２の上縁部の後端縁が緩衝体３１で受け止められ、遊技機４１の上部が下部よりも後側に位置をずらされた格好となり、遊技機４１が全体的に搬送機構４；５；６と案内部材３とで後傾状に支持される。この遊技機４１が後傾状に支持される所定角度θ（二点鎖線Ｌ２で示すローラ軸１４の軸中心が一点鎖線Ｌ１で示す水平との間で成す挟角）は遊技機４１が遊技店の島と呼ばれる遊技機設置設備に後傾状に取り付けられる角度に設定される。
【００１１】
よって、遊技機４１が搬入領域Ａから検査領域Ｂに運搬されて停止した後、搬送機構５が傾斜機構２１で後傾状になると、遊技機４１が遊技店で使用されるのと同じ角度で後傾状となる。その後、遊技機４１に供給した球が遊技領域に飛び交う実機検査を行うのであるが、その検査領域Ｂにおいて、遊技機４１が案内部材３と搬送機構５とで後傾状に支持され、遊技機４１の重力方向が矢印Ｙ１から矢印Ｙ２に移動し、遊技機４１の上部が案内部材３の溝を囲む後壁に設けられた緩衝体３１で支えられた格好で、遊技機４１が前後方向にがたつくことがないように安定に支持されるので、球が遊技盤とそれの前に配置された透視性のあるパネルとに前後方向に行き交うことはなく遊技盤の遊技領域に常に接触しつつ左右方向に飛び交い、球と遊技部品との適正な絡まり形態を検査することができる。
【００１２】
実機検査が終了したならば、検査者が装置本体２の中間部の前側に設けられた操作部２９の搬送開始操作部３０を操作すると、操作部２９の内部に設けられた図外のスイッチが搬送開始操作部３０の操作に伴いオン信号を制御装置に出力し、制御装置がエアシリンダ２３を縮小駆動するように制御する。これによって、エアシリンダ２３が縮小駆動し、検査領域Ｂの搬送機構５における骨格構造体８の前側が後側の軸２２を中心として下降し、その傾斜角度が所定角度θから水平に戻ると、制御装置がエアシリンダ２３の縮小駆動を停止するように制御する。この制御装置による縮小駆動停止の制御によって、ピストンロッド２５のシリンダボディへの収納量がそのままとなるように、エアシリンダ２３の縮小状態が維持される。これによって、検査領域Ｂの搬送機構５におけるローラ１１の周面が搬入領域Ａの搬送機構４におけるローラ１０の周面および搬出領域Ｃの搬送機構６におけるローラ１２の周面と同じ高さとなる。その後、遊技機４１が検査領域Ｂの搬送機構５におけるローラ１１の一方向への回転に伴い検査領域Ｂから搬出領域Ｃに搬出される。
【００１３】
図２における符号Ｇは遊技機４１の重心を示し、固定枠４２は遊技機４１がパチンコ店のような遊技店に販売されて設置される場合に遊技店の遊技機設置設備に固定される枠である。
【００１４】
搬送機構４〜６はチェーンコンベアで形成してもよいが、実施形態のようにローラコンベアで形成すれば、約２０ｋｇ程度の重量の有る遊技機４１の重さでコンベアが弧状に撓むのを防止するための受けを搬送機構４〜６に特別に設ける必要がなく、搬送機構４〜６の構造を簡素化できる。
【００１５】
本実施形態では骨格構造体８の後側を装置本体２に軸２２で回転可能に取り付け、骨格構造体８の前側をエアシリンダ２３で装置本体２に昇降可能に取り付けたので、作業者が装置本体２の前側より骨格構造体８の検査姿勢と搬送姿勢との切り替わりを適切に認識することができる。
【００１６】
図示は省略するが、骨格構造体８の前側を装置本体２に軸２２で回転可能に取り付け、骨格構造体８の後側をエアシリンダ２３で装置本体２に昇降可能に取り付ければ、ドライバーのような工具を装置本体２と骨格構造体８との間に挟むことを防止することができる。傾斜駆動源をモータで形成し、モータの出力をボルトナット機構のような動力伝達機構で骨格構造体８に伝達し、当該モータの出力で骨格構造体８を検査姿勢と搬送姿勢とに切り替えてもよい。
【図面の簡単な説明】
【図１】一実施形態の遊技機検査設備を示す斜視図。
【図２】同実施形態の搬送姿勢と検査姿勢とを示す模式図。
【図３】従来例を示す斜視図。
【符号の説明】
１　遊技機検査設備
２　装置本体
３　案内部材
４〜６　搬送機構
２１　傾斜機構
２８　検出器
２９　操作部
４１　遊技機
Ａ　搬入領域
Ｂ　検査領域
Ｃ　搬出領域
【図１】
2004033553.tif 000003
【図２】
2004033553.tif 000004
【図３】
2004033553.tif 000005